(57)【特許請求の範囲】
【請求項１】
乾電池を電源として用いる機器に設けられる乾電池ケースであって、乾電池を保持するケース本体と、機器の器体に取付けられ、ケース本体を器体前方に引き出し自在に支持する筒状の支持枠とを備え、ケース本体の横方向各側の外面と支持枠の横方向各側の内面との一方と他方に、夫々前後方向に長手の凸部と凸部が挿入される凹部とが形成され、これら凸部と凹部とでケース本体の前後方向への移動を案内するガイド機構が構成されるものにおいて、
凸部と凹部の一方の少なくとも上面と側面に、凸部と凹部の他方の上面と側面に線接触する前後方向にのびる突条が形成されることを特徴とする乾電池ケース。
【請求項２】
請求項１記載の乾電池ケースであって、前記支持枠の横方向各側の内面に前記凹部が形成されて、この凹部の上面と側面に前記突条が形成されると共に、凹部の上面の突条と側面の突条と凹部の下面に、型抜きのために前方に向けて夫々上方と横方向外方と下方に傾く抜き勾配を付けるものにおいて、
前記ケース本体の前端部に、ケース本体を支持枠に押し込んだ状態で支持枠の前端部の上下の内面及び横方向各側の内面に当接する当接部が設けられることを特徴とする乾電池ケース。
【請求項３】
請求項１記載の乾電池ケースであって、前記支持枠の横方向各側の内面に前記凹部が形成されて、この凹部の上面と側面に前記突条が形成されると共に、凹部の上面の突条と側面の突条と凹部の下面に、型抜きのために前方に向けて夫々上方と横方向外方と下方に傾く抜き勾配を付けるものにおいて、
前記凸部の上面と側面と下面に、前記抜き勾配と同等に前方に向けて夫々上方と横方向外方と下方に傾く勾配を付けることを特徴とする乾電池ケース。
【発明の詳細な説明】
【技術分野】
【０００１】
本発明は、乾電池を電源として用いる機器に設けられる乾電池ケースに関する。
【背景技術】
【０００２】
従来、この種の乾電池ケースとして、乾電池を保持するケース本体と、機器の器体に取付けられ、ケース本体を器体前方に引き出し自在に支持する筒状の支持枠とを備え、ケース本体の横方向各側の外面と支持枠の横方向各側の内面との一方と他方に、夫々前後方向に長手の凸部と凸部が挿入される凹部とが形成され、これら凸部と凹部とでケース本体の前後方向への移動を案内するガイド機構を構成したものが知られている（例えば、特許文献１参照）。
【０００３】
ここで、凸部の上下両面及び側面が凹部の上下両面及び側面に面接触していると、摺動抵抗が大きくなって、ケース本体を軽い力で円滑に出し入れすることができなくなる。そのため、従来は、凸部の上面及び側面と凹部の上面及び側面との間に隙間を確保して、摺動抵抗を軽減している。然し、これでは、ケース本体がガタツキやすくなり、商品性を損なう。
【先行技術文献】
【特許文献】
【０００４】
【特許文献１】特開２０１３−１５７１９６号公報
【発明の概要】
【発明が解決しようとする課題】
【０００５】
本発明は、以上の点に鑑み、ケース本体を軽い力で円滑に出し入れでき、且つ、ケース本体のガタツキも低減できるようにようにした乾電池ケースを提供することをその課題としている。
【課題を解決するための手段】
【０００６】
上記課題を解決するために、本発明は、乾電池を電源として用いる機器に設けられる乾電池ケースであって、乾電池を保持するケース本体と、機器の器体に取付けられ、ケース本体を器体前方に引き出し自在に支持する筒状の支持枠とを備え、ケース本体の横方向各側の外面と支持枠の横方向各側の内面との一方と他方に、夫々前後方向に長手の凸部と凸部が挿入される凹部とが形成され、これら凸部と凹部とでケース本体の前後方向への移動を案内するガイド機構が構成されるものにおいて、凸部と凹部の一方の少なくとも上面と側面に、凸部と凹部の他方の上面と側面に線接触する前後方向にのびる突条が形成されることを特徴とする。
【０００７】
本発明によれば、凸部の上面及び側面と凹部の上面及び側面とが突条を介して線接触することになり、摺動抵抗の増加を抑制して、ケース本体を軽い力で円滑に出し入れできると共にケース本体のガタツキも低減できる。
【０００８】
ところで、支持枠の横方向各側の内面に凹部を形成して、この凹部の上面と側面に突条を形成すれば、支持枠の内面を成形する単一の中子型で凹部及び突条も成形することができ、型構造を簡素化できる。この場合、中子型を前方に型抜きする上で、凹部の上面の突条と側面の突条と凹部の下面に、前方に向けて夫々上方と横方向外方と下方に傾く抜き勾配を付けることが必要になる。その結果、このままでは、ケース本体を支持枠に押し込んだときに、突条の前部及び凹部の下面前部と凸部との間に隙間を生じ、ケース本体の前端部が上下左右にガタツキ得る状態になってしまう。
【０００９】
そのため、上記の場合には、ケース本体の前端部に、ケース本体を支持枠に押し込んだ状態で支持枠の前端部の上下の内面及び横方向各側の内面に当接する当接部を設け、或いは、凸部の上面と側面と下面に、上記抜き勾配と同等に前方に向けて夫々上方と横方向外方と下方に傾く勾配を付けることが望ましい。これによれば、ケース本体を支持枠に押し込んだ状態でケース本体の前端部が上下左右にガタツクことを防止できる。
【図面の簡単な説明】
【００１０】
【図１】本発明の実施形態の乾電池ケースを具備するガスコンロの斜視図。
【図２】実施形態の乾電池ケースの斜視図。
【図３】実施形態の乾電池ケースのケース本体を支持枠から引抜いた状態の斜視図。
【図４】実施形態の乾電池ケースの縦断面図。
【図５】実施形態の乾電池ケースの横断面図。
【図６】実施形態の乾電池ケースの切断平面図。
【図７】(ａ)凹部及び突条の抜き勾配を誇張して示した支持枠の要部の正面図、(ｂ)図７(ａ)と同様の支持枠の要部の斜視図。
【図８】凸部の勾配を誇張して示したケース本体の要部の斜視図。
【発明を実施するための形態】
【００１１】
図１は、乾電池を電源として用いる機器であるガスコンロを示している。このガスコンロは、器体たるコンロ本体１に配置した左右一対のコンロバーナ２，２と、グリル３とを備えている。コンロ本体１の前面パネル１１には、コンロバーナ２，２用とグリル３内に設けるグリルバーナ用の各操作摘み４が設けられている。また、前面パネル１１の左側の片隅に形成した開口１１ａを通して乾電池を出し入れする乾電池ケース５がコンロ本体１内に設けられている。尚、ガスコンロは、コンロバーナ２やグリルバーナの制御装置や点火装置等の各種電装品を駆動する電源として乾電池を用いている。
【００１２】
乾電池ケース５は、図２、図３に示す如く、図示省略した乾電池を前後に並べて２個保持するトレー状のケース本体６と、ケース本体６をコンロ本体１の前方に引き出し自在に支持する筒状の支持枠７とで構成されている。ケース本体６の前端面には、ケース本体６を支持枠７に押し込んだ状態で前面パネル１１の開口１１ａに入り込む蓋部６１が設けられている。また、ケース本体６の後端部には、ケース本体６が所定位置に引き出されたときに支持枠７の後端部に当接してそれ以上引き出されないようにするストッパ部６２が設けられている。
【００１３】
図４も参照して、ケース本体６の横方向各側の外面には、横方向外方に突出する凸部８１が形成され、支持枠７の横方向各側の内面には、凸部８１が挿入される横方向外方に窪む凹部８２が形成され、これら凸部８１と凹部８２とでケース本体６の前後方向への移動を案内するガイド機構８が構成されている。尚、支持枠７の横方向各側の内面に横方向内方に突出する凸部を形成すると共に、ケース本体６の横方向各側の外面に凸部が挿入される横方向内方に窪む凹部を形成することも可能である。
【００１４】
また、凹部８２の上面と側面には、凸部８１の上面と側面に線接触する前後方向にのびる突条８３，８４が形成されている。尚、突条８３，８４を凸部８１の上面と側面に形成することも可能である。但し、本実施形態の如く、支持枠７の横方向各側の内面に凹部８２を形成して、この凹部８２の上面と側面に突条８３，８４を形成すれば、支持枠７の内面を成形する単一の中子型で凹部８２及び突条８３，８４を成形でき、更に、凸部８１に突条を形成せずに済むため、ケース本体６の外面を成形する型で凸部８１を成形でき、型構造を簡素化できる。
【００１５】
上記の構成によれば、凸部８１の上面及び側面と凹部８２の上面及び側面とが突条８３，８４を介して線接触することになり、摺動抵抗の増加を抑制できる。そのため、ケース本体６を軽い力で円滑に出し入れでき、更に、ケース本体６のガタツキも低減できる。
【００１６】
ところで、本実施形態の如く支持枠７の内面に凹部８２を形成して、この凹部８２の上面と側面に突条８３，８４を形成する場合には、支持枠７の内面を成形する中子型を前方に型抜きする上で、図７に誇張して示す如く、凹部８３の上面及び上面の突条８３に、前方に向けて上方に傾く抜き勾配、凹部８３の側面及び側面の突条８４に、前方に向けて横方向外方に傾く抜き勾配、凹部８３の下面に、前方に向けて下方に傾く抜き勾配を夫々付けることが必要になる。その結果、このままでは、ケース本体６を支持枠７に押し込んだときに、突条８３，８４の前部及び凹部８２の下面前部と凸部８１との間に隙間を生じ、ケース本体６の前端部が上下左右にガタツキ得る状態になってしまう。
【００１７】
そこで、本実施形態では、ケース本体６の前端部に、ケース本体６を支持枠７に押し込んだ状態で支持枠７の前端部の上下の内面及び横方向各側の内面に当接するする当接部を設けている。以下この点について具体的に説明する。
【００１８】
図５を参照して、ケース本体６の底部前端部の横方向中央部には、前端部が蓋部６１の下端の切欠き部に臨む舌片状のロック片部６３が設けられており、このロック片部６３の後部に下方に突出する爪部６３ａが突設されている。また、支持枠７の底部前端部には、後向きの面を持つ段差部７１が形成されており、ケース本体６を支持枠７に押し込んだときに、爪部６３ａが段差部７１に係合して、ケース本体６が押し込み位置に係止され、ロック片６３をその前端部に指をかけて引き上げることにより、爪部６３ａが段差部７１から離脱して、ケース本体６を前方に引き出すことができるようにしている。そして、ロック片部６３の爪部６３ａの前側に隣接する部分が、ケース本体６を支持枠７に押し込んだ状態で支持枠７の前端部の下方側内面である段差部７１の上端に当接する下方当接部６４となるようにしている。
【００１９】
また、ケース本体６の横方向各側の側壁部の前端部を丈高に形成し、その上端が、ケース本体６を支持枠７に押し込んだ状態で支持枠７の前端部の上方側内面に当接する上方当接部６５となるようにしている。更に、ケース本体６の横方向各側の側壁部の前端部外面に肉盛り部を設け、この肉盛り部が、ケース本体６を支持枠７に押し込んだ状態で支持枠７の前端部の横方向各側の内面に図６に示す如く当接する横方向当接部６６となるようにしている。
【００２０】
以上の構成によれば、突条８３，８４と凹部８２の下面に抜き勾配を付けることで突条８３，８４の前部及び凹部８２の下面前部と凸部８１との間に隙間を生じても、ケース本体６を支持枠７に押し込んだ状態では、下方当接部６４、上方当接部６５及び横方向当接部６６が支持枠７の前端部の上下の内面及び横方向各側の内面に当接するため、ケース本体６の前端部が上下左右にガタツクことを防止できる。尚、各当接部６４，６５，６６は、ケース本体６の押し込み途中では支持枠７の内面に接しないため、摺動抵抗が増加することはない。
【００２１】
また、ケース本体６を支持枠７に押し込んだ状態でケース本体６の前端部が上下左右にガタツクことを上記当接部６４，６５，６６を形成せずに防止することも可能である。即ち、凸部８１の上面と側面と下面に、図８に誇張して示すように、突条８３，８４と凹部８２の下面の抜き勾配と同等に前方に向けて夫々上方と横方向外方と下方に傾く勾配を付けることである。これによれば、ケース本体６を支持枠７に押し込んだ状態で、突条８３，８４と凹部８２の下面とにその全長に亘り凸部８１の上面と側面と下面とを接触させて、ケース本体６の前端部が上下左右にガタツクことを防止できる。
【００２２】
以上、本発明の実施形態について図面を参照して説明したが、本発明はこれに限定されない。例えば、上記実施形態では、凹部８２の下面を平坦面として、凸部８１の下面が凹部８２の下面に面接触するようにしているが、凹部８２の下面に、凸部８１の下面に線接触する突条を形成することも可能である。但し、凸部８１の下面に接触する部分には、ケース本体６及び乾電池の重量が作用するため、凸部８１の下面と凹部８２の下面とを面接触させた方が、耐久性を確保する上で有利である。
【００２３】
また、上記実施形態はガスコンロに設けられる乾電池ケース５であるが、乾電池を電源として用いるガスコンロ以外の機器に設けられる乾電池ケースにも同様に本発明を適用できる。
【符号の説明】
【００２４】
１…コンロ本体（器体）、５…乾電池ケース、６…ケース本体、６４，６５，６６…当接部、７…支持枠、８…ガイド機構、８１…凸部、８２…凹部、８３，８４…突条。
【図１】
0006030624.tif 000002
【図２】
0006030624.tif 000003
【図３】
0006030624.tif 000004
【図４】
0006030624.tif 000005
【図５】
0006030624.tif 000006
【図６】
0006030624.tif 000007
【図７】
0006030624.tif 000008
【図８】
0006030624.tif 000009